(57)【特許請求の範囲】
【請求項１】
データ所有者が所有するデータの売却に関する要求情報を、前記データ所有者が使用する所有者端末から取得する取得手段と、
過去に売買されたデータが使用されたタスクと、当該データの売買を行った利用者と、当該タスクを前記利用者が実行した際に使用した使用データと、に関する情報を少なくとも含む実績情報と、前記タスクの品質の算出に必要な算出情報とに基づき、前記要求情報に含まれる又は前記要求情報により特定される売却対象データを前記使用データに加えて前記タスクを実行した場合の品質を表すスコアが、前記売却対象データを前記使用データに加えずに前記タスクを実行した場合の品質を表すスコアよりも所定値以上増加するという効果が生じる前記タスクの有無を判定し、かつ、
前記効果が生じるタスクが存在する場合に、当該タスクと前記実績情報において対応付けられた前記利用者を購入候補者として判定する判定手段と、
前記購入候補者に関する情報を前記所有者端末に通知する通知手段と、
を有する仲介装置。
【請求項２】
前記購入候補者に関する情報は、前記タスクに関する情報と、前記効果に関する情報とを含む、請求項１に記載の仲介装置。
【請求項３】
前記通知手段は、前記購入候補者のリストを前記効果が高い順に並べて表示するための表示情報を、前記購入候補者に関する情報として前記所有者端末に送信する、請求項２に記載の仲介装置。
【請求項４】
前記通知手段は、前記購入候補者のリストを、前記実績情報に基づく利用実績が多い順に並べて表示するための表示情報を、前記購入候補者に関する情報として前記所有者端末に送信する、請求項１〜３のいずれか一項に記載の仲介装置。
【請求項５】
データ所有者が所有するデータの売却に関する要求情報を、前記データ所有者が使用する所有者端末から取得する取得手段と、
利用者による実施見込みがあるタスクと、前記利用者が所有する所有データとに関する情報を少なくとも含む利用者情報と、前記タスクの品質の算出に必要な算出情報とに基づき、前記要求情報に含まれる又は前記要求情報により特定される売却対象データを前記所有データに加えて前記タスクを実行した場合の品質を表すスコアが、前記売却対象データを前記所有データに加えずに前記タスクを実行した場合の品質を表すスコアよりも所定値以上増加するという効果が生じる前記タスクの有無を判定し、かつ、
前記効果が生じるタスクが存在する場合に、当該タスクと前記利用者情報において対応付けられた前記利用者を購入候補者として判定する判定手段と、
前記購入候補者に関する情報を前記所有者端末に通知する通知手段と、
を有する仲介装置。
【請求項６】
前記判定手段は、前記取得手段が前記要求情報を取得後、前記利用者が利用する利用者端末から受信する前記利用者情報に基づき、前記効果が生じるタスクの有無の判定を行う、請求項５に記載の仲介装置。
【請求項７】
仲介装置が実行する制御方法であって、
データ所有者が所有するデータの売却に関する要求情報を、前記データ所有者が使用する所有者端末から取得し、
過去に売買されたデータが使用されたタスクと、当該データの売買を行った利用者と、当該タスクを前記利用者が実行した際に使用した使用データと、に関する情報を少なくとも含む実績情報と、前記タスクの品質の算出に必要な算出情報とに基づき、前記要求情報に含まれる又は前記要求情報により特定される売却対象データを前記使用データに加えて前記タスクを実行した場合の品質を表すスコアが、前記売却対象データを前記使用データに加えずに前記タスクを実行した場合の品質を表すスコアよりも所定値以上増加するという効果が生じる前記タスクの有無を判定し、かつ、
前記効果が生じるタスクが存在する場合に、当該タスクと前記実績情報において対応付けられた前記利用者を購入候補者として判定し、
前記購入候補者に関する情報を前記所有者端末に通知する、
制御方法。
【請求項８】
データ所有者が所有するデータの売却に関する要求情報を、前記データ所有者が使用する所有者端末から取得する取得手段と、
過去に売買されたデータが使用されたタスクと、当該データの売買を行った利用者と、当該タスクを前記利用者が実行した際に使用した使用データと、に関する情報を少なくとも含む実績情報と、前記タスクの品質の算出に必要な算出情報とに基づき、前記要求情報に含まれる又は前記要求情報により特定される売却対象データを前記使用データに加えて前記タスクを実行した場合の品質を表すスコアが、前記売却対象データを前記使用データに加えずに前記タスクを実行した場合の品質を表すスコアよりも所定値以上増加するという効果が生じる前記タスクの有無を判定し、かつ、
前記効果が生じるタスクが存在する場合に、当該タスクと前記実績情報において対応付けられた前記利用者を購入候補者として判定する判定手段と、
前記購入候補者に関する情報を前記所有者端末に通知する通知手段
としてコンピュータを機能させるプログラム。
【請求項９】
仲介装置が実行する制御方法であって、
データ所有者が所有するデータの売却に関する要求情報を、前記データ所有者が使用する所有者端末から取得し、
利用者による実施見込みがあるタスクと、前記利用者が所有する所有データとに関する情報を少なくとも含む利用者情報と、前記タスクの品質の算出に必要な算出情報とに基づき、前記要求情報に含まれる又は前記要求情報により特定される売却対象データを前記所有データに加えて前記タスクを実行した場合の品質を表すスコアが、前記売却対象データを前記所有データに加えずに前記タスクを実行した場合の品質を表すスコアよりも所定値以上増加するという効果が生じる前記タスクの有無を判定し、かつ、
前記効果が生じるタスクが存在する場合に、当該タスクと前記利用者情報において対応付けられた前記利用者を購入候補者として判定し、
前記購入候補者に関する情報を前記所有者端末に通知する、制御方法。
【請求項１０】
データ所有者が所有するデータの売却に関する要求情報を、前記データ所有者が使用する所有者端末から取得する取得手段と、
利用者による実施見込みがあるタスクと、前記利用者が所有する所有データとに関する情報を少なくとも含む利用者情報と、前記タスクの品質の算出に必要な算出情報とに基づき、前記要求情報に含まれる又は前記要求情報により特定される売却対象データを前記所有データに加えて前記タスクを実行した場合の品質を表すスコアが、前記売却対象データを前記所有データに加えずに前記タスクを実行した場合の品質を表すスコアよりも所定値以上増加するという効果が生じる前記タスクの有無を判定し、かつ、
前記効果が生じるタスクが存在する場合に、当該タスクと前記利用者情報において対応付けられた前記利用者を購入候補者として判定する判定手段と、
前記購入候補者に関する情報を前記所有者端末に通知する通知手段
としてコンピュータを機能させるプログラム。
【発明の詳細な説明】
【技術分野】
【０００１】
本発明は、データの売買に関する仲介を行う仲介装置、制御方法及び記憶媒体の技術分野に関する。
【背景技術】
【０００２】
通信網を介して売り手と買い手の仲介を行う仲介システムが知られている。例えば、特許文献１には、買い手の識別情報を除いた発注情報を売り手に表示し、発注情報に対して売り手が入力した応札情報の一覧表を買い手に表示する仲介システムが開示されている。
【先行技術文献】
【特許文献】
【０００３】
【特許文献１】特開２０１３−４１３５４号公報
【発明の概要】
【発明が解決しようとする課題】
【０００４】
データを収集及び管理するデータ所有者がデータを活用しきれない場合が存在する。このようなデータは、他者にとっては必要なデータともなり得る。一方、特許文献１では、買い手が買う対象を指定した発注情報を仲介装置に指定しているが、売り手が売りたい対象を仲介装置に指定する場合、及び、サービス以外を取引対象とする場合の仲介の態様については、何ら開示されていない。【０００５】
本発明の目的は、上述した課題を鑑み、データ所有者が所有するデータの売却先の選定に関する仲介を好適に実行することが可能な仲介装置、制御方法及び記憶媒体を提供することを主な課題とする。
【課題を解決するための手段】
【０００６】
仲介装置の一の態様は、仲介装置であって、データ所有者が所有するデータの売却に関する要求情報を、前記データ所有者が使用する所有者端末から取得する取得手段と、過去に売買されたデータが使用されたタスクと、当該データの売買を行った利用者と、当該タスクを前記利用者が実行した際に使用した使用データと、に関する情報を少なくとも含む実績情報と、前記タスクの品質の算出に必要な算出情報とに基づき、前記要求情報に含まれる又は前記要求情報により特定される売却対象データを前記使用データに加えて前記タスクを実行した場合の品質を表すスコアが、前記売却対象データを前記使用データに加えずに前記タスクを実行した場合の品質を表すスコアよりも所定値以上増加するという効果が生じる前記タスクの有無を判定し、かつ、前記効果が生じるタスクが存在する場合に、当該タスクと前記実績情報において対応付けられた前記利用者を購入候補者として判定する判定手段と、前記購入候補者に関する情報を前記所有者端末に通知する通知手段と、を有する。
仲介装置の他の態様は、仲介装置であって、データ所有者が所有するデータの売却に関する要求情報を、前記データ所有者が使用する所有者端末から取得する取得手段と、利用者による実施見込みがあるタスクと、前記利用者が所有する所有データとに関する情報を少なくとも含む利用者情報と、前記タスクの品質の算出に必要な算出情報とに基づき、前記要求情報に含まれる又は前記要求情報により特定される売却対象データを前記所有データに加えて前記タスクを実行した場合の品質を表すスコアが、前記売却対象データを前記所有データに加えずに前記タスクを実行した場合の品質を表すスコアよりも所定値以上増加するという効果が生じる前記タスクの有無を判定し、かつ、前記効果が生じるタスクが存在する場合に、当該タスクと前記利用者情報において対応付けられた前記利用者を購入候補者として判定する判定手段と、前記購入候補者に関する情報を前記所有者端末に通知する通知手段と、を有する。
【０００７】
制御方法の一の態様は、仲介装置が実行する制御方法であって、データ所有者が所有するデータの売却に関する要求情報を、前記データ所有者が使用する所有者端末から取得し、過去に売買されたデータが使用されたタスクと、当該データの売買を行った利用者と、当該タスクを前記利用者が実行した際に使用した使用データと、に関する情報を少なくとも含む実績情報と、前記タスクの品質の算出に必要な算出情報とに基づき、前記要求情報に含まれる又は前記要求情報により特定される売却対象データを前記使用データに加えて前記タスクを実行した場合の品質を表すスコアが、前記売却対象データを前記使用データに加えずに前記タスクを実行した場合の品質を表すスコアよりも所定値以上増加するという効果が生じる前記タスクの有無を判定し、かつ、前記効果が生じるタスクが存在する場合に、当該タスクと前記実績情報において対応付けられた前記利用者を購入候補者として判定し、前記購入候補者に関する情報を前記所有者端末に通知する。
制御方法の他の態様は、仲介装置が実行する制御方法であって、データ所有者が所有するデータの売却に関する要求情報を、前記データ所有者が使用する所有者端末から取得し、利用者による実施見込みがあるタスクと、前記利用者が所有する所有データとに関する情報を少なくとも含む利用者情報と、前記タスクの品質の算出に必要な算出情報とに基づき、前記要求情報に含まれる又は前記要求情報により特定される売却対象データを前記所有データに加えて前記タスクを実行した場合の品質を表すスコアが、前記売却対象データを前記所有データに加えずに前記タスクを実行した場合の品質を表すスコアよりも所定値以上増加するという効果が生じる前記タスクの有無を判定し、かつ、前記効果が生じるタスクが存在する場合に、当該タスクと前記利用者情報において対応付けられた前記利用者を購入候補者として判定し、前記購入候補者に関する情報を前記所有者端末に通知する。
【０００８】
プログラムの一の態様は、データ所有者が所有するデータの売却に関する要求情報を、前記データ所有者が使用する所有者端末から取得する取得手段と、過去に売買されたデータが使用されたタスクと、当該データの売買を行った利用者と、当該タスクを前記利用者が実行した際に使用した使用データと、に関する情報を少なくとも含む実績情報と、前記タスクの品質の算出に必要な算出情報とに基づき、前記要求情報に含まれる又は前記要求情報により特定される売却対象データを前記使用データに加えて前記タスクを実行した場合の品質を表すスコアが、前記売却対象データを前記使用データに加えずに前記タスクを実行した場合の品質を表すスコアよりも所定値以上増加するという効果が生じる前記タスクの有無を判定し、かつ、前記効果が生じるタスクが存在する場合に、当該タスクと前記実績情報において対応付けられた前記利用者を購入候補者として判定する判定手段と、前記購入候補者に関する情報を前記所有者端末に通知する通知手段としてコンピュータを機能させるプログラムである。
プログラムの他の態様は、データ所有者が所有するデータの売却に関する要求情報を、前記データ所有者が使用する所有者端末から取得する取得手段と、利用者による実施見込みがあるタスクと、前記利用者が所有する所有データとに関する情報を少なくとも含む利用者情報と、前記タスクの品質の算出に必要な算出情報とに基づき、前記要求情報に含まれる又は前記要求情報により特定される売却対象データを前記所有データに加えて前記タスクを実行した場合の品質を表すスコアが、前記売却対象データを前記所有データに加えずに前記タスクを実行した場合の品質を表すスコアよりも所定値以上増加するという効果が生じる前記タスクの有無を判定し、かつ、前記効果が生じるタスクが存在する場合に、当該タスクと前記利用者情報において対応付けられた前記利用者を購入候補者として判定する判定手段と、前記購入候補者に関する情報を前記所有者端末に通知する通知手段としてコンピュータを機能させるプログラムである。
【発明の効果】
【０００９】
本発明によれば、データ所有者が所有するデータの売却に関する要求があった場合に、当該データに対して需要があると推定される利用者に関する情報を、データ所有者に好適に通知することができる。
【図面の簡単な説明】
【００１０】
【図１】第１実施形態に係るデータマーケットシステムの構成を示す。
【図２】仲介装置の概略構成を示す。
【図３】データ所有者が使用する所有者端末の概略構成を示す。
【図４】利用者が使用する利用者端末の概略構成を示す。
【図５】売却対象データ情報のデータ構造の一例である。
【図６】実績情報のデータ構造の一例である。
【図７】仲介装置の機能ブロックの一例である。
【図８】売却先提案画面の表示例である。
【図９】第１実施形態に係るフローチャートの一例である。
【図１０】第２実施形態に係る仲介装置の機能ブロック図を示す。
【図１１】第２実施形態に係る利用者情報のデータ構造の一例である。
【図１２】第２実施形態に係るフローチャートの一例である。
【図１３】第２実施形態に係るフローチャートにおける処理Ａの一例である。
【図１４】第３実施形態に係る仲介装置の機能ブロック図を示す。
【発明を実施するための形態】
【００１１】
以下、図面を参照しながら、仲介装置、制御方法及び記憶媒体の実施形態について説明する。
【００１２】
＜第１実施形態＞
（１−１）データマーケットシステムの構成
図１は、第１実施形態に係るデータマーケットシステム１００の構成を示す。データマーケットシステム１００は、主に、仲介装置１と、所有するデータの売却を希望するデータ所有者が使用する所有者端末２と、データマーケットシステム１００を利用する利用者が使用する利用者端末３とを有する。仲介装置１と所有者端末２、及び仲介装置１と利用者端末３は、それぞれ通信網等を介してデータ通信を行う。なお、図１では、所有者端末２及び利用者端末３は１台ずつ存在しているが、それぞれ複数台存在してもよい。また、データ所有者及び利用者は、個人に限らず会社等の組織も含むものとする。
【００１３】
仲介装置１は、データの売買の仲介に関する処理を行う。具体的には、仲介装置１は、所有者端末２からデータの売却に関する要求情報（「売却要求情報Ｓ１」とも呼ぶ。）を受信した場合、当該データの需要があると推測される利用者を、当該データに対する購入候補者として選定する。以後では、売却要求情報Ｓ１により売却対象として指定されたデータを、「売却対象データ」と呼ぶ。そして、仲介装置１は、売却要求情報Ｓ１に対する応答として、売却対象データの購入候補者に関する情報（「購入候補者情報Ｓ２」とも呼ぶ。）を、所有者端末２に送信する。
【００１４】
また、仲介装置１は、購入候補者情報Ｓ２の送信後、いずれかの購入候補者を指定する情報を所有者端末２から受信した場合、指定された購入候補者に対応する利用者端末３に対し、売却対象データの購入を提案する情報（「購入提案情報Ｓ３」とも呼ぶ。）を送信する。
【００１５】
なお、仲介装置１は、データ所有者と利用者との間において、売却対象データに関する種々の売買条件の合意等を経て取引が成立した場合には、当該利用者が使用する利用者端末３に、売却対象データを送信する。また、仲介装置１は、この場合、データ所有者と利用者とに対し、提供された売却対象データの売買に伴う金銭の授受に関する処理を行う。
【００１６】
所有者端末２は、データ所有者が指定した売却対象データに関する売却要求情報Ｓ１を生成し、当該売却要求情報Ｓ１を仲介装置１へ送信する。売却要求情報Ｓ１には、売却対象データそのものが含まれてもよく、売却対象データに代えて売却対象データを特定するための情報（即ちメタデータ）が含まれていてもよい。また、所有者端末２は、売却要求情報Ｓ１の応答として仲介装置１から購入候補者情報Ｓ２を受信した場合、購入候補者情報Ｓ２に基づく表示等を行う。購入候補者情報Ｓ２に基づく表示例については後述する。
【００１７】
利用者端末３は、データマーケットシステム１００の利用者が使用する端末装置である。データマーケットシステム１００の利用者とは、例えば、データマーケットシステム１００においてデータの売買実績がある者であってもよく、データマーケットシステム１００に対して利用者端末３の通信アドレス及び利用者の属性情報等の利用者登録を行った者であってもよい。
【００１８】
利用者端末３は、仲介装置１から購入提案情報Ｓ３を受信した場合に、購入提案情報Ｓ３に基づき売却対象データの購入を提案する画面を表示する。この場合、利用者端末３を使用する利用者は、上述の画面において提示された売却対象データが、実行したいタスクを行うのに必須のデータ、又は、当該タスクの精度の向上に必要なデータ等である等の検討を行う。上述のタスクは、例えば、商品の需要分析、保険商品等の解約分析などの種々のデータ分析に関する処理を指す。そして、利用者端末３は、上述の画面において、売却対象データの購入に関する各種入力を受け付け、入力された情報を仲介装置１へ送信する。
【００１９】
（１−２）装置構成
次に、仲介装置１、所有者端末２、及び利用者端末３の各構成について、図２〜図４を参照して説明する。
【００２０】
図２は、仲介装置１の概略構成を示す。仲介装置１は、主に、記憶部１３と、データ通信を行う通信部１４と、制御部１５とを備える。
【００２１】
制御部１５は、図示しないＣＰＵ、ＲＯＭ及びＲＡＭなどを備え、仲介装置１内の各構成要素に対して種々の制御を行う。制御部１５は、プログラムを実行するコンピュータとして機能する。制御部１５が実行する処理については後述する。
【００２２】
記憶部１３は、ハードディスク又はフラッシュメモリといったメモリによって構成される。記憶部１３は、制御部１５が実行するプログラム、及び、制御部１５がプログラムを実行することで所定の処理を実行するのに必要な情報を記憶する。なお、上述のプログラムは、記憶部１３以外の任意の記憶媒体に格納されてもよい。
【００２３】
また、記憶部１３は、例えば、売却対象データ情報１３１と、利用者情報１３２と、精度算出情報１３３と、実績情報１３４とを記憶する。
【００２４】
売却対象データ情報１３１は、売却対象データに関する情報であり、所有者端末２から受信する売却要求情報Ｓ１に基づき生成される。
【００２５】
利用者情報１３２は、データマーケットシステム１００を利用する利用者に関する情報であり、例えば、利用者登録時又は過去の売買取引時等において利用者が登録した情報に基づき生成される。例えば、利用者情報１３２は、利用者の識別情報、利用者の連絡先となるアドレス情報などを含む。また、利用者情報１３２は、データマーケットシステム１００における利用者の過去の利用実績などの情報をさらに含んでもよい。
【００２６】
精度算出情報１３３は、タスクの精度の計算に必要な情報である。例えば、精度算出情報１３３は、精度の算出対象となるタスク毎に、当該タスクに用いるデータの組合せの各候補と各組合せの候補を用いた場合の精度との対応を示す対応テーブル等であってもよい。
【００２７】
実績情報１３４は、データマーケットシステム１００において成立した取引に関する実績を示す。実績情報１３４の詳細については後述する。
【００２８】
ここで、売却対象データ情報１３１及び実績情報１３４のデータ構造例について、図５及び図６を参照して説明する。
【００２９】
図５は、売却対象データ情報１３１のデータ構造の一例である。売却対象データ情報１３１は、例えば、所有者端末２から受信する売却要求情報Ｓ１毎に生成される情報であって、所有者識別情報と、希望価格情報と、データ識別情報と、売却対象データとを含む。
【００３０】
「所有者識別情報」は、売却対象データの所有者（即ち所有者端末２を使用するデータ所有者）を識別する情報である。なお、所有者識別情報は、会社名、業種などのデータ所有者の属性に関する情報を含んでもよい。「希望価格情報」は、データ所有者の希望売値を示す情報である。「データ識別情報」は、売却対象データを識別するための情報（メタデータ）であり、売却対象データの名称、データサイズ等の売却対象データの種々の属性を示す情報を含む。「売却対象データ」は、売却対象データの生データである。
【００３１】
なお、売却対象データ１３１のデータ構造は、図５に示す例に限定されない。例えば、売却対象データ情報１３１は、「売却対象データ」を含まなくともよい。この場合、例えば、データ所有者と利用者との間で売却対象データの売買契約が成立した場合に、所有者端末２が利用者端末３へ売却対象データを直接送信してもよい。
【００３２】
図６は、実績情報１３４のデータ構造の一例である。実績情報１３４は、例えば、データマーケットシステム１００において成立した取引毎に生成される。実績情報は、例えば、売り手情報、買い手情報、取引データ情報、適用タスク情報、使用データ情報を含む。ここで、売り手情報は、対象の取引において売り手となった利用者（データ所有者）の識別情報等を示す。買い手情報は、対象の取引において買い手となった利用者の識別情報等を示す。取引データ情報は、対象の取引において取引対象となったデータの識別情報を示す。適用タスク情報は、取引データ情報が示すデータを用いて買い手が実行したタスクを示す。使用データ情報は、適用タスク情報が示すタスクを買い手が実行する際に使用したデータの識別情報を示す。
【００３３】
図３は、所有者端末２の概略構成を示す。所有者端末２は、主に、入力部２１と、出力部２２と、記憶部２３と、データ通信を行う通信部２４と、制御部２５と、を備える。これらの各要素は、バスライン２０を介して相互に接続されている。
【００３４】
入力部２１は、ユーザの入力を受け付けるインターフェースであり、例えば、タッチパネル、ボタン、音声入力装置などが該当する。出力部２２は、利用者に情報を出力するインターフェースであり、情報を表示するためのディスプレイ、音を出力するためのスピーカなどが該当する。
【００３５】
記憶部２３は、ハードディスク又はフラッシュメモリといったメモリによって構成される。記憶部２３は、制御部２５が実行するプログラム、及び、制御部２５がプログラムを実行することで所定の処理を実行するのに必要な情報を記憶する。また、記憶部２３は、売却対象データを含むデータ２６を記憶する。
【００３６】
制御部２５は、図示しないＣＰＵ、ＲＯＭ及びＲＡＭなどを備え、所有者端末２内の各構成要素に対して種々の制御を行う。例えば、制御部２５は、入力部２１により指定されたデータに関する売却要求情報Ｓ１を生成し、通信部２４により仲介装置１へ送信する。また、通信部２４を介して仲介装置１から購入候補者情報Ｓ２を受信した場合、制御部２５は、購入候補者情報Ｓ２に基づき、出力部２２を制御することで、所定の表示等を行う。
【００３７】
図４は、利用者端末３の概略構成を示す。利用者端末３は、主に、入力部３１と、出力部３２と、記憶部３３と、データ通信を行う通信部３４と、制御部３５と、を備える。これらの各要素は、バスライン３０を介して相互に接続されている。
【００３８】
入力部３１は、ユーザの入力を受け付けるインターフェースであり、例えば、タッチパネル、ボタン、音声入力装置などが該当する。出力部３２は、利用者に情報を出力するインターフェースであり、情報を表示するためのディスプレイ、音を出力するためのスピーカなどが該当する。
【００３９】
記憶部３３は、ハードディスク又はフラッシュメモリといったメモリによって構成される。記憶部３３は、制御部３５が実行するプログラム、及び、制御部３５がプログラムを実行することで所定の処理を実行するのに必要な情報を記憶する。また、記憶部３３は、タスク情報３６と、データ３７とを記憶する。タスク情報３６は、利用者端末３を使用する利用者によるタスクの実行に必要な情報であり、例えば、分析エンジンや分析スクリプトなどのタスクの実行プログラム等を含む。データ３７は、上述のタスクによる分析対象となるデータである。
【００４０】
制御部３５は、図示しないＣＰＵ、ＲＯＭ及びＲＡＭなどを備え、利用者端末３内の各構成要素に対して種々の制御を行う。例えば、制御部３５は、通信部３４を介して購入提案情報Ｓ３を受信した場合に、当該購入提案情報Ｓ３に基づき出力部３２に所定の出力を実行させる。
【００４１】
（１−３）機能ブロック
図７は、売却要求情報Ｓ１の受信及び購入候補者情報Ｓ２の送信に関する仲介装置１の機能ブロックの一例を示す。仲介装置１の制御部１５は、機能的には、取得部５２と、判定部５３と、通知部５４とを含む。
【００４２】
取得部５２は、所有者端末２から通信部１４を介して売却要求情報Ｓ１を受信する。そして、取得部５２は、受信した売却要求情報Ｓ１に基づき売却対象データ情報１３１を生成し、生成した売却対象データ情報１３１を記憶部１３に記憶する。
【００４３】
判定部５３は、取得部５２が取得した売却要求情報Ｓ１に基づく売却対象データ情報１３１、利用者情報１３２、精度算出情報１３３、及び実績情報１３４を参照し、売却要求情報Ｓ１に対応する売却対象データの購入候補者の有無を判定する。
【００４４】
具体的には、まず、判定部５３は、実績情報１３４の適用タスク情報が示すタスク（単に「実績タスク」とも呼ぶ。）について、売却対象データを加えた場合に増加する精度を算出する。上述の「増加する精度」は、対象の実績タスクに売却対象データを加えない場合の精度と加えた場合の精度との差に相当する。例えば、判定部５３は、精度算出情報１３３を参照し、対象の実績タスクに対して実績情報１３４の使用データ情報が示すデータ（即ち過去に実績タスクを実行した時に使用されたデータ）のみを使用した場合の精度を算出する。また、判定部５３は、精度算出情報１３３を参照し、対象の実績タスクに対して使用データ情報が示すデータと売却対象データとの両方を使用した場合の精度を算出する。そして、判定部５３は、算出したこれらの精度の差を、上述の「増加する精度」として算出する。
【００４５】
次に、判定部５３は、売却対象データを加えた場合に実績タスクの精度が所定値以上増加する場合、売却対象データが実績タスクに対して効果があるとみなし、実績タスクに対応する利用者を購入候補者であると判定する。上述の所定値は、予め定められた値に設定されてもよく、購入候補者が所定数となるように設定されてもよい。そして、判定部５３は、購入候補者に対応する利用者情報１３２、実績情報１３４、及び判定部５３が算出した精度に関する情報等を、通知部５４に供給する。
【００４６】
通知部５４は、判定部５３が購入候補者と判定した利用者に関する購入候補者情報Ｓ２を生成し、通信部１４を介して所有者端末２に購入候補者情報Ｓ２を送信する。この場合、通知部５４は、利用者情報１３２、実績情報１３４、及び判定部５３が算出した精度に関する情報等に基づき、売却対象データの売却先を提案する画面（「売却先提案画面」とも呼ぶ。）の表示情報を生成する。そして、通知部５４は、生成した表示情報を、購入候補者情報Ｓ２として所有者端末２に送信する。売却先提案画面の表示例については後述する。なお、通知部５４は、該当する購入候補者が存在しない旨の判定情報を判定部５３から受信した場合には、購入候補者が存在しない旨の情報を表示するための表示情報を、購入候補者情報Ｓ２として所有者端末２に送信する。
【００４７】
（１−４）表示例
図８は、所有者端末２が購入候補者情報Ｓ２に基づき表示した売却先提案画面の表示例である。図８に示すように、仲介装置１の通知部５４は、売却先提案画面上に、購入候補者リスト６１と、ソート選択欄６２とを表示させている。図８は、一例として、売却対象データが「データａ」である場合の売却先提案画面の表示例を示している。
【００４８】
購入候補者リスト６１は、購入候補者毎の情報を示した購入候補者表示欄６６（６６Ａ〜６６Ｃ）から構成される。購入候補者表示欄６６は、購入候補者毎の情報を示した表示欄である。ここでは、通知部５４は、実績タスク「タスクＡ」の実行実績がある購入候補者「会社Ｘ」に関する情報を、購入候補者表示欄６６Ａに表示している。同様に、通知部５４は、実績タスク「タスクＢ」の実行実績がある購入候補者「会社Ｙ」に関する情報を購入候補者表示欄６６Ｂに表示し、実績タスク「タスクＣ」の実行実績がある購入候補者「会社Ｚ」に関する情報を購入候補者表示欄６６Ｃに表示している。
【００４９】
ここで、購入候補者表示欄６６は、「実績タスク」、「データａによる効果」、「買い手実績数」の各項目に対する表示領域と、詳細ボタン６３（６３Ａ〜６３Ｃ）と、アプローチ指示ボタン６４（６４Ａ〜６４Ｃ）とを有する。
【００５０】
通知部５４は、購入候補者表示欄６６に表示する「実績タスク」として、購入候補者の実績タスクのうち、売却対象データである「データａ」を用いることで効果が生じる（即ち精度が向上する）実績タスクを表示している。また、通知部５４は、「データａによる効果」として、対応する実績タスクに対し、売却対象データである「データａ」を加えることで得られる精度の増加割合を表示している。また、通知部５４は、「買い手実績数」として、対応する購入候補者が過去にデータマーケットシステム１００において買い手となった実績数を、利用者情報１３２又は実績情報１３４に基づき表示している。
【００５１】
詳細ボタン６３は、対応する購入候補者の詳細情報の表示を指示するボタンである。通知部５４は、詳細ボタン６３の選択を検知した場合、対応する購入候補者の詳細情報を表示する画面の表示情報を、所有者端末２に送信する。上述の詳細情報は、例えば、過去にデータマーケットシステム１００を利用してデータの売買を行った場合の相手側からの評価に関する情報、購入候補者が法人である場合には会社の規模や上場の有無などの一般的なプロフィール情報などを含んでもよい。
【００５２】
アプローチ指示ボタン６４は、対応する購入候補者に売却対象データ「データａ」の売却提案を指示するボタンである。通知部５４は、アプローチ指示ボタン６４の選択を検知した場合、対象の購入候補者の利用者端末３に対し、売却対象データ「データａ」に関する購入提案情報Ｓ３を送信する。この場合、例えば、通知部５４は、売却対象データ情報１３１及び利用者情報１３２等に基づき、売却対象データ「データａ」の希望売値の情報及び「データａ」のデータ所有者に関する情報等を、購入提案情報Ｓ３に含める。
【００５３】
ソート選択欄６２は、購入候補者リスト６１における購入候補者表示欄６６Ａ〜６６Ｃの並び順の決定方法を指定する選択欄である。ここでは、一例として、ソート選択欄６１は、プルダウンメニュー形式の選択欄となっており、図８では「効果が高い順にソート」が選択されている。そして、この場合、通知部５４は、購入候補者表示欄６６Ａ〜６６Ｃを、「データａによる効果」が示す精度の増加割合が高い順に並べて表示する。なお、ソート選択欄６１は、「効果が高い順にソート」以外に、「買い手実績数が高い順にソート」の選択欄を少なくとも有する。「買い手実績数が高い順にソート」が選択された場合、通知部５４は、購入候補者表示欄６６Ａ〜６６Ｃに示される「買い手実績数」が多い順に、購入候補者表示欄６６Ａ〜６６Ｃを並べて表示する。
【００５４】
（１−５）処理フロー
図９は、第１実施形態における仲介装置１及び所有者端末２の処理手順を示すフローチャートの一例である。
【００５５】
まず、所有者端末２は、入力部２１により売却対象データの売却に関する入力を検知した場合、指定された売却対象データの売却に関する売却要求情報Ｓ１を生成し、当該売却要求情報Ｓ１を仲介装置１へ送信する（ステップＳ１１）。
【００５６】
仲介装置１の取得部５２は、所有者端末２から売却要求情報Ｓ１を受信し、当該売却要求情報Ｓ１に基づく売却対象データ情報１３１を記憶する（ステップＳ２１）。そして、仲介装置１の判定部５３は、実績情報１３４に記録された実績タスクに対し、売却対象データによる効果を判定する（ステップＳ２２）。この場合、判定部５３は、精度算出情報１３３を参照し、実績情報１３４に記録された実績タスクに対し、売却対象データを用いる場合と用いない場合とでの精度の差を算出する。そして、判定部５３は、例えば、上述の差が所定値以上の場合、実績タスクに対する効果があると判定する。
【００５７】
そして、効果がある実績タスクが存在する場合（ステップＳ２３；Ｙｅｓ）、判定部５３は、実績情報１３４を参照し、効果がある実績タスクを実施した利用者を購入候補者であると判定する（ステップＳ２４）。そして、通知部５４は、判定部５３が判定した購入候補者に関する購入候補者情報Ｓ２を、所有者端末２へ送信する（ステップＳ２５）。購入候補者情報Ｓ２は、売却先提案画面の表示情報を含んでいる。
【００５８】
一方、仲介装置１は、効果がある実績タスクが存在しない場合（ステップＳ２３；Ｎｏ）、購入候補者が存在しないと判定する。この場合、仲介装置１は、購入候補者が存在しない旨を表示する表示情報を含んだ購入候補者情報Ｓ２を生成し、当該購入候補者情報Ｓ２を所有者端末２へ送信する（ステップＳ２５）。
【００５９】
所有者端末２は、ステップＳ１１において売却要求情報Ｓ１の送信後、売却要求情報Ｓ１の応答として購入候補者情報Ｓ２を仲介装置１から受信する（ステップＳ１２）。そして、所有者端末２は、受信した購入候補者情報Ｓ２に基づき、出力部２２により売却先提案画面等の表示を行う（ステップＳ１３）。
【００６０】
このように、第１実施形態によれば、仲介装置１は、売却対象データを指定した売却要求情報Ｓ１を所有者端末２から受信した場合に、売却対象データに対して需要があると推測される購入候補者を過去の利用者から選定し、所有者端末２に通知することができる。これにより、データ所有者は、売却対象データの売却先を好適に選定することができる。また、仲介装置１は、所有者端末２に表示させる購入候補者の情報として、売却対象データによる効果等の情報を含めることで、データ所有者による売却対象データの売却先の選定を好適に支援することができる。
【００６１】
＜第２実施形態＞
図１０は、第２実施形態に係る仲介装置１Ａの機能ブロック図を示す。第２実施形態に係る仲介装置１Ａは、実績情報１３４に記録された過去の実績タスクに対する売却対象データの効果に基づき購入候補者を決定する代わりに、利用者情報１３２Ａに記録された実施予定のタスクに対する売却対象データの効果に基づき購入候補者を決定する。
【００６２】
第２実施形態に係る仲介装置１Ａの制御部１５は、機能的には、登録部５１Ａと、取得部５２Ａと、判定部５３Ａと、通知部５４Ａと、を有する。また、仲介装置１Ａは、利用者による実施予定のタスクに関する情報を含む利用者情報１３２Ａを有する。
【００６３】
登録部５１Ａは、利用者端末３から実施する見込みがあるタスク（「実施予定タスク」とも呼ぶ。）に関する情報を含む登録情報「Ｓ４」を受信した場合に、登録情報Ｓ４に基づき利用者情報１３２Ａを生成し、利用者情報１３２Ａを記憶部１３に記憶する。
【００６４】
図１１は、利用者情報１３２Ａのデータ構造の一例である。図１１に示す利用者情報１３２Ａは、主に、利用者識別情報と、実行タスク情報と、所有データ情報とを含む。
【００６５】
「利用者識別情報」は、利用者の識別情報である。「実行タスク情報」は、対象の利用者が実施予定のタスクに関する情報である。「所有データ情報」は、対象の利用者が保有するデータに関する情報である。例えば、登録部５１Ａは、これらの利用者識別情報、実行タスク情報及び所有データ情報を含む登録情報Ｓ４を利用者端末３から受信することで、図１１に示すデータ構造を有する利用者情報１３２Ａを生成する。
【００６６】
再び図１０を参照し、仲介装置１Ａの機能的な構成について説明する。取得部５２Ａは、第１実施形態の取得部５２と同様、所有者端末２から売却要求情報Ｓ１を受信し、当該売却要求情報Ｓ１に基づく売却対象データ情報１３１を記憶する。
【００６７】
判定部５３Ａは、利用者毎に生成される利用者情報１３２Ａの実行タスク情報及び所有データ情報を参照し、実行タスク情報が示す実施予定タスクに対する売却対象データの効果を算出する。具体的には、判定部５３Ａは、実施予定タスクに対し、対応する所有データ情報が示すデータのみを使用した場合の精度と、所有データ情報が示すデータと売却対象データの両方を使用した場合の精度との差を、上述の効果として算出する。そして、判定部５３Ａは、精度の差が所定値以上となる実施予定タスクに対応する利用者を、購入候補者であると判定する。
【００６８】
通知部５４Ａは、第１実施形態の通知部５４と同様、判定部５３が購入候補者と判定した利用者に関する購入候補者情報Ｓ２を生成し、通信部１４を介して所有者端末２に購入候補者情報Ｓ２を送信する。
【００６９】
図１２及び図１３は、第２実施形態における仲介装置１及び所有者端末２の処理手順を示すフローチャートの一例である。
【００７０】
まず、所有者端末２は、入力部２１により売却対象データの売却に関する入力を検知した場合、指定された売却対象データの売却に関する売却要求情報Ｓ１を生成し、当該売却要求情報Ｓ１を仲介装置１へ送信する（ステップＳ３１）。
【００７１】
仲介装置１の取得部５２Ａは、所有者端末２から売却要求情報Ｓ１を受信し、当該売却要求情報Ｓ１に基づき生成した売却対象データ情報１３１を記憶する（ステップＳ４１）。また、登録部５１Ａは、利用者端末３から登録情報Ｓ４を受信した場合には、受信した登録情報Ｓ４に基づき生成した利用者情報１３２Ａを、記憶部１３に記憶する。
【００７２】
そして、仲介装置１の判定部５３Ａは、利用者情報１３２Ａに記録された実施予定タスクに対する売却対象データの効果を判定する（ステップＳ４２）。この場合、判定部５３Ａは、例えば、実施予定タスクに対して対象の利用者が所有するデータのみを使用した場合の精度と、対象の利用者が所有するデータと売却対象データの両方を使用した場合の精度との差が所定値以上である場合、実施予定タスクへの売却対象データによる効果があると判定する。他の例では、判定部５３Ａは、売却対象データを使用するデータに加えることで、実施予定タスクの実行が初めて可能となる場合、実施予定タスクへの売却対象データによる効果があると判定する。
【００７３】
そして、判定部５３Ａは、効果がある実施予定タスクが存在する場合（ステップＳ４３；Ｙｅｓ）、効果がある実施予定タスクを実施予定の利用者を、購入候補者であると判定する（ステップＳ４４）。そして、通知部５４Ａは、判定部５３Ａが判定した購入候補者に関する購入候補者情報Ｓ２を、所有者端末２へ送信する（ステップＳ４５）。ここで、購入候補者情報Ｓ２は、売却先提案画面の表示情報を含んでいる。
【００７４】
一方、効果がある実施予定タスクが存在しない場合（ステップＳ４３；Ｎｏ）、仲介装置１は、図１３に示される後述の処理Ａを実行する。
【００７５】
所有者端末２は、ステップＳ１１において売却要求情報Ｓ１の送信後、売却要求情報Ｓ１の応答として、購入候補者情報Ｓ２を仲介装置１から受信する（ステップＳ３２）。そして、所有者端末２は、受信した購入候補者情報Ｓ２に基づき、出力部２２により売却先提案画面等の表示を行う（ステップＳ３３）。
【００７６】
ここで、処理Ａについて、図１３を参照して説明する。
【００７７】
仲介装置１の登録部５１Ａは、利用者端末３から登録情報Ｓ４を受信したか否か判定する（ステップＳ４７）。そして、登録部５１Ａは、利用者端末３から登録情報Ｓ４を受信した場合（ステップＳ４７；Ｙｅｓ）、登録情報Ｓ４に基づき生成した利用者情報１３２Ａを記憶部１３に記憶する（ステップＳ４８）。そして、判定部５３Ａは、ステップＳ４８で生成された利用者情報１３２Ａと、精度算出情報１３３とに基づき、売却対象データの使用により効果がある実施予定タスクが存在するか否か判定する（ステップＳ４９）。そして、判定部５３Ａは、売却対象データの使用により効果がある実施予定タスクが存在する場合（ステップＳ４９；Ｙｅｓ）、登録情報Ｓ４の送信元の利用者を、購入候補者であると判定する（ステップＳ５０）。そして、通知部５４Ａは、図１２のステップＳ４５へ移行する。この場合、ステップＳ４５では、通知部５４Ａは、ステップＳ５０において購入候補者と判定された利用者に関する購入候補者情報Ｓ２を、仲介装置１へ送信する。
【００７８】
このように、第２実施形態においても、仲介装置１は、売却対象データを指定した売却要求情報Ｓ１を所有者端末２から受信した場合に、売却対象データに対して需要があると推測される購入候補者の情報を、所有者端末２に好適に通知することができる。
【００７９】
＜第３実施形態＞
図１４は、第３実施形態における仲介装置１Ｂの機能ブロック図である。仲介装置１Ｂは、機能的には、取得部５２Ｂと、判定部５３Ｂと、通知部５４Ｂとを有する。
【００８０】
取得部５２Ｂは、データ所有者が所有するデータの売却に関する要求情報である売却要求情報Ｓ１を、データ所有者が使用する所有者端末２から取得する。判定部５３Ｂは、上述のデータを使用した場合に効果が生じるタスクの実行実績又は実行見込みがある利用者の有無の判定を行う。通知部５４Ｂは、上述のデータを使用した場合に効果が生じるタスクの実行実績又は実行見込みがある利用者が存在すると判定部５３Ｂが判定した場合に、当該利用者に関する情報を示す購入候補者情報Ｓ２を、所有者端末２に通知する。
【００８１】
第３実施形態によっても、仲介装置１Ｂは、所有者端末２が提供する売却対象データに対して需要があると推測される購入候補者の情報を、好適に所有者端末２に通知することができる。
【００８２】
その他、上記の各実施形態（変形例を含む、以下同じ）の一部又は全部は、以下の付記のようにも記載され得るが以下には限られない。
【００８３】
［付記１］
データ所有者が所有するデータの売却に関する要求情報を、前記データ所有者が使用する所有者端末から取得する取得部と、
前記データを使用した場合に効果が生じるタスクの実行実績又は実行見込みがある利用者の有無の判定を行う判定部と、
前記利用者が存在すると前記判定部が判定した場合に、前記利用者に関する情報を前記所有者端末に通知する通知部と、
を有する仲介装置。
【００８４】
［付記２］
前記利用者に関する情報は、前記タスクに関する情報と、前記効果に関する情報とを含む、付記１に記載の仲介装置。
【００８５】
［付記３］
前記通知部は、前記利用者のリストを前記効果が高い順に並べて表示するための表示情報を、前記利用者に関する情報として前記所有者端末に送信する、付記２に記載の仲介装置。
【００８６】
［付記４］
前記判定部は、過去に売買されたデータと、当該データが使用されたタスクと、当該データの売買を行った利用者とに関する情報を少なくとも含む実績情報を参照することで、前記判定を行う、付記１〜３のいずれか一項に記載の仲介装置。
【００８７】
［付記５］
前記通知部は、前記利用者のリストを、前記実績情報に基づく利用実績が多い順に並べて表示するための表示情報を、前記利用者に関する情報として前記所有者端末に送信する、付記４に記載の仲介装置。
【００８８】
［付記６］
前記判定部は、実行予定のタスクと、所有するデータとに関する情報を少なくとも含む利用者情報を参照することで、前記判定を行う、付記１〜３のいずれか一項に記載の仲介装置。
【００８９】
［付記７］
前記判定部は、前記取得部が前記要求情報を取得後、前記利用者が利用する利用者端末から受信する前記利用者情報に基づき、前記判定を行う、付記６に記載の仲介装置。
【００９０】
［付記８］
仲介装置が実行する制御方法であって、
データ所有者が所有するデータの売却に関する要求情報を、前記データ所有者が使用する所有者端末から取得し、
前記データを使用した場合に効果が生じるタスクの実行実績又は実行見込みがある利用者の有無の判定を行い、
前記利用者が存在すると前記判定部が判定した場合に、前記利用者に関する情報を前記所有者端末に通知する、制御方法。
【００９１】
［付記９］
データ所有者が所有するデータの売却に関する要求情報を、前記データ所有者が使用する所有者端末から取得する取得部と、
前記データを使用した場合に効果が生じるタスクの実行実績又は実行見込みがある利用者の有無の判定を行う判定部と、
前記利用者が存在すると判定した場合に、前記利用者に関する情報を前記所有者端末に通知する通知部
としてコンピュータを機能させるプログラムが格納された記憶媒体。
【００９２】
以上、実施形態を参照して本願発明を説明したが、本願発明は上記実施形態に限定されるものではない。本願発明の構成や詳細には、本願発明のスコープ内で当業者が理解し得る様々な変更をすることができる。すなわち、本願発明は、請求の範囲を含む全開示、技術的思想にしたがって当業者であればなし得るであろう各種変形、修正を含むことは勿論である。また、引用した上記の特許文献等の各開示は、本書に引用をもって繰り込むものとする。
【符号の説明】
【００９３】
１、１Ａ、１Ｂ  仲介装置
２  所有者端末
３  利用者端末
２１、３１  入力部
２２、３２  出力部
１３、２３、３３  記憶部
１４、２４、３４  通信部
１５、２５、３５  制御部
１００  データマーケットシステム
【図１】
0006844744.tif 000002
【図２】
0006844744.tif 000003
【図３】
0006844744.tif 000004
【図４】
0006844744.tif 000005
【図５】
0006844744.tif 000006
【図６】
0006844744.tif 000007
【図７】
0006844744.tif 000008
【図８】
0006844744.tif 000009
【図９】
0006844744.tif 000010
【図１０】
0006844744.tif 000011
【図１１】
0006844744.tif 000012
【図１２】
0006844744.tif 000013
【図１３】
0006844744.tif 000014
【図１４】
0006844744.tif 000015